(57)【要約】【課題】画素の輝度の変化に起因する画像の歪みを解消する陰極線管装置を低コストで提供する。【解決手段】トランジスタＴｒ２０、コンデンサＣ２０、及び抵抗素子Ｒ２０〜Ｒ２３を用いて、アノード電流の変化量を抽出する交流成分抽出回路１３３の出力電圧を、水平偏向磁界の強度を制御する水平サイズ制御回路に入力することによって、水平偏向出力回路１２４が出力する水平偏向電流を調整し、画素の輝度の変化に起因する画像の歪みを解消する。【選択図】　図２
2004064357.tif 000002
【特許請求の範囲】
【請求項１】
アノード電流を制御して画素の輝度を変化させる陰極線管装置であって、
前記陰極線管装置が備えているアノード電圧を供給するアノード電圧供給回路において、アノード電流を電圧として検出するビーム電流検出回路と、
前記ビーム電流検出回路が電圧として検出したビーム電流の交流成分を抽出してアノード電流の変化量を検出する交流成分抽出回路と、
検出したアノード電流の増加量が大きいほど水平偏向磁界を強め、アノード電流の減少量が大きいほど水平偏向磁界を弱める水平サイズ制御回路と
を備えることを特徴とする陰極線管装置。
【請求項２】
前記交流成分抽出回路は、コンデンサにより前記交流成分を抽出する
ことを特徴とする請求項１に記載の陰極線管装置。
【請求項３】
前記交流成分抽出回路は、
前記ビーム電流検出回路が抽出したアノード電圧の交流成分を反転させる反転回路
を備えることを特徴とする請求項２に記載の陰極線管装置。
【請求項４】
フライバック・トランスにて昇圧されたアノード電圧を陰極線管に供給する陰極線管装置であって、
前記フライバック・トランスの高圧側接地線に挿入された抵抗素子にてアノード電流を検出し、
前記抵抗素子の前記フライバック・トランス側にベース電極を接続されると共に、エミッタ電極を接地されたトランジスタによりアノード電圧を反転させ、
前記トランジスタのコレクタ電極に接続されたコンデンサによりアノード電流の交流成分を抽出することによって、
アノード電流の変化量を検出する交流成分抽出回路と、
前記交流成分抽出回路が検出したアノード電流の増加量が大きいほど水平偏向磁界を強め、アノード電流の減少量が大きいほど水平偏向磁界を弱める水平サイズ制御部と
を備えることを特徴とする陰極線管装置。
【請求項５】
前記コンデンサの前記トランジスタが接続されていない方の電極に接続された可変抵抗素子により、前記交流成分抽出回路が検出するアノード電流の変化量を補正する
ことを特徴とする請求項４に記載の陰極線管装置。
【発明の詳細な説明】
【０００１】
【発明の属する技術分野】
本発明は、テレビジョン受像機やコンピュータ・ディスプレイ装置に代表される陰極線管装置に関し、特に、表示画素の輝度変化に起因する画像の歪みを防止する技術に関する。
【０００２】
【従来の技術】
一般に、陰極線管装置においては、陰極線管のアノードから当該陰極線管を構成する電子銃のカソードに向かって流れるアノード電流の電流量を変化させることによって、スクリーン画面に表示する画素の輝度を変化させる。画素の輝度は、アノード電流量が大きいほど高くなり、逆にアノード電流量が小さいほど低くなる。
【０００３】
アノード電流が流れると、フライバック・トランスの出力インピーダンスによって、アノード電流の大きさに応じた電圧降下が発生する。このフライバック・トランスによる電圧降下により、アノード電圧が変化する。
カソードから出射される電子の速度は、アノード電圧に依存するので、アノード電流が大きいほど電子の速度は遅くなる。電子の速度が遅いと、電子が偏向磁界を通過する時間が長くなるので、偏向量が大きくなる。以上のようなメカニズムにより、スクリーン画面上に表示する画素の輝度が高いほど電子の偏向量が大きくなり、当該輝度が小さいほど偏向量が小さくなるので、画素の輝度に応じて画面が水平方向に伸縮することにより歪む結果となる。
【０００４】
スクリーン画面に高輝度の画素を表示する例として、スクリーン画面に輝度の相異なる２つの矩形を重ねて表示した場合について説明する。図３は、輝度の相異なる２つの矩形を重ねて表示したスクリーン画面を示す模式図である。図３において、スクリーン画面の有効表示領域（スクリーン画面において蛍光体が塗布されている領域）２０１には、縦方向と横方向の細線を表示するクロスハッチ画像２０２が表示されており、有効表示領域２０１の中央部には輝度の高い図形２０３が表示されている。
【０００５】
図形２０３は高輝度であるため、上述のようなメカニズムによって、水平方向にサイズが拡大する画像の歪みが発生している。この歪みのために、本来、直線である筈の画像２０２と、本来、矩形である筈の図形２０３が、いずれも走査方向に拡大されている。従来のテレビジョン受像機においても、斯かる画像の歪みは発生しているのだが、前記有効表示領域の外部にまで電子ビームを走査する、いわゆるオーバースキャンを行っているために、実用上問題とはなっていない。
【０００６】
しかしながら、近年、デジタル放送や高精細度テレビジョン（ＨＤＴＶ：ｈｉ−ｄｅｆｉｎｉｔｉｏｎ　ｔｅｌｅｖｉｓｉｏｎ）の実用化に伴って、スクリーン画面に塗布される蛍光体のピッチ（蛍光体の塗布間隔）が微細化されてきており、より少量の蛍光体から十分な輝度を得るために、より大きなアノード電流が必要となっている。この結果、輝度（アノード電流量）の変化に起因する画像の歪み量も大きくなり、目立ち易くなっている。
【０００７】
また、近年、テレビジョン受像機が、パーソナル・コンピュータ等の映像を表示させる情報端末として用いられるようになってきている。テレビジョン受像機において、コンピュータ映像を欠けることなく表示させるためには、電子ビームにて走査する領域をスクリーン画面の有効表示領域より小さくする、いわゆるアンダースキャンを行わなければならない。
【０００８】
しかしながら、アンダースキャンを行うと、上述したような輝度の変化に起因する画像の歪みが目立ちやすくなるという問題が発生する。特に、近年、コンピュータ映像としてＭＰＥＧ画像等の動画が表示されることが増えてきたので、より輝度の変動幅が大きく、かつ高頻度となっており、これに従って画像の歪み方も顕著となっている。
【０００９】
このような問題に対しては、例えば、特開平１１−６９１９５号公報に開示のディスプレイ装置が提案されている。図６は、当該公報に開示されたディスプレイ装置の機能構成について、その一部を示す機能ブロック図である。同図に示すように、ディスプレイ装置５は、ビデオ回路５０や垂直偏向回路５１、陰極線管５４等を備えている。
【００１０】
ビデオ回路５０は、ビデオ入力端子５０１により受け付けたビデオ信号Ｖｉｄｅｏを増幅してカソード電圧とし、陰極線管５４の電子銃５４２が備えているカソード電極（図示せず。）に印加する。陰極線管５４は、垂直偏向コイルと水平偏向コイル（いずれも図示省略。）とを備えた偏向ヨーク５４１を有している。
垂直偏向回路５１は、垂直同期信号入力端子５１１にて垂直同期信号ＶＤを受け付け、当該垂直同期信号ＶＤに同期した垂直偏向電流を前記垂直偏向コイルに供給する。
【００１１】
水平偏向回路５２は、水平偏向出力回路５２４や水平サイズ制御回路５２５等からなっており、水平同期信号入力端子５２１にて水平同期信号ＨＤを受け付けると共に、水平サイズ制御信号入力端子５２６にて水平サイズ制御信号ＶＳを受け付けて、水平偏向電流を前記水平偏向コイルに供給する。アノード電圧供給回路５３は、陰極線管５４からのビーム電流を検出して水平偏向回路５２に制御信号を出力する。これによってアノード電圧が調整され、画面の歪みが補正される。
【００１２】
図７は、前記ディスプレイ装置５を構成する水平偏向出力回路５２４、水平サイズ制御回路５２５、及びアノード電圧供給回路５３について回路構成を示す回路構成図である。図６に示すように、アノード電圧供給回路５３は、フライバック・トランス５３１、ビーム電流検出回路５３４、時定数回路５３３及び電源電圧制御回路５３２を備えている。
【００１３】
ビーム電流検出回路５３４は、抵抗素子Ｒ５０を備えており、輝度変化に伴って変化するビーム電流量の変化を検出して、当該変化量に応じた制御信号を出力する。時定数回路５３３は、トランジスタＴｒ５０、抵抗素子Ｒ５１、Ｒ５２、及び電界効果コンデンサＣ５０を備えている。
時定数回路５３３は、ビーム電流検出回路５３４が検出したアノード電圧を受け付けて、アノード電圧補正信号ＶＥＨＣを生成し、当該アノード電圧補正信号ＶＥＨＣを電源電圧制御回路５３２と水平サイズ制御回路５２５とへ向けて出力する。この際、時定数回路５３３は、ローパスフィルタとして機能し、受け付けた電圧の周波数に基づいて、前記アノード電圧補正信号ＶＥＨＣを生成する。
【００１４】
電源電圧制御回路５３２は、トランジスタＴｒ５１、Ｔｒ５２、電界効果コンデンサＣ５１、演算増幅器ＯＡ５０、及び抵抗素子Ｒ５３、Ｒ５４、Ｒ５５、Ｒ５６、Ｒ５７、Ｒ５８、Ｒ５９、Ｒ６０、Ｒ６１を備えている。電源電圧制御回路５３２は、フライバック・トランス５３１を構成するトランスＴ５０に供給する電源電圧を調整することによってアノード電圧を制御する。
【００１５】
このような構成により、上記公報に開示のディスプレイ装置は、輝度変化に伴う画面サイズの変動を低減する。
【００１６】
【発明が解決しようとする課題】
しかしながら、図７からも明らかなように、前記公報に係るディスプレイ装置では、輝度の変化に起因する画像の歪みを抑えるという目的だけのために、トランジスタを２個、電界効果コンデンサを１個、演算増幅器を１個、及び抵抗素子を９個というように、数多の部品を必要とする複雑なアノード電圧供給回路を搭載しなければならない。このことは、より安価な製品を求めたいという消費者の本質的な要求に背くものであり、この意味で、従来公報に開示の技術は斯かる画像の歪みを解消するための現実的な解とは言い難い。
【００１７】
本発明は、上記のような問題に鑑みてなされたものであって、輝度の変化にかかわらず、画面サイズの変動を抑制して、画像歪を低減する陰極線管装置を安価に提供することを目的とする。
【００１８】
【課題を解決するための手段】
上記目的を達成するため、本発明に係る陰極線管装置は、アノード電流を制御して画素の輝度を変化させる陰極線管装置であって、前記陰極線管装置が備えているアノード電圧を供給するアノード電圧供給回路において、アノード電流を電圧として検出するビーム電流検出回路と、前記ビーム電流検出回路が電圧として検出したビーム電流の交流成分を抽出してアノード電流の変化量を検出する交流成分抽出回路と、検出したアノード電流の増加量が大きいほど水平偏向磁界を強め、アノード電流の減少量が大きいほど水平偏向磁界を弱める水平サイズ制御回路とを備えることを特徴とする。このように、アノード電流の変化量に応じて水平サイズを制御すれば、従来技術による場合との比較において、画面歪の補正に要する部品点数を低減して、画面歪の補正に要するコストを低減することができる。
【００１９】
また、前記交流成分抽出回路は、コンデンサにより前記交流成分を抽出することを特徴とする。このようにすれば、ビーム電流の交流成分をより安価に検出することができる。
また、前記交流成分抽出回路は、前記ビーム電流検出回路が抽出したアノード電圧の交流成分を反転させる反転回路を備えるとしても良い。このようにすれば、前記交流成分抽出回路の回路構成をより簡単なものとすることができるので、交流成分抽出回路の回路コストを低減することができる。
【００２０】
本発明に係る陰極線管装置は、フライバック・トランスにて昇圧されたアノード電圧を陰極線管に供給する陰極線管装置であって、前記フライバック・トランスの高圧側接地線に挿入された抵抗素子にてアノード電流を検出し、前記抵抗素子の前記フライバック・トランス側にベース電極を接続されると共に、エミッタ電極を接地されたトランジスタによりアノード電圧を反転させ、前記トランジスタのコレクタ電極に接続されたコンデンサによりアノード電流の交流成分を抽出することによって、アノード電流の変化量を検出する交流成分抽出回路と、前記交流成分抽出回路が検出したアノード電流の増加量が大きいほど水平偏向磁界を強め、アノード電流の減少量が大きいほど水平偏向磁界を弱める水平サイズ制御部とを備えることを特徴とする。このように、コンデンサを用いれば、アノード電流の変化量を検出する交流成分抽出回路に要するコストを低減することができる。
【００２１】
また、前記コンデンサの前記トランジスタが接続されていない方の電極に接続された可変抵抗素子により、前記交流成分抽出回路が検出するアノード電流の変化量を補正するとすれば尚好適である。このようすれば、陰極線管装置ごとの回路誤差を装置の組立てを完了した後に調整することができる。従って、特に、大量生産時においては、出荷時に画像歪の補正状態を調整することができるので、高い品質の陰極線管装置を提供することができるようになる。
【００２２】
【発明の実施の形態】
以下、本発明に係る陰極線管装置の実施の形態について、テレビジョン受像機を例に取り、図面を参照しながら説明する。
［１］　本実施の形態に係るテレビジョン受像機の機能構成
図１は、本実施の形態に係るテレビジョン受像機の機能を表した機能ブロック図であって、特に、アノード電流量の制御に係る機能が示されている。図１に示すように、テレビジョン受像機１は、垂直偏向回路１１やビデオ回路１０、及び陰極線管１４を備えている。また、テレビジョン受像機１は、水平偏向回路１２とアノード電圧供給回路１３とによって、輝度の変化に起因して発生する水平方向の画面の歪みを防止している。
【００２３】
陰極線管１４は、対角寸法が８０ｃｍ（３４インチ）で、アスペクト比が４：３の陰極線管であって、電子銃１４２から放出された電子ビームを垂直偏向コイルと水平偏向コイル（いずれも不図示。）とによって偏向させる偏向ヨーク１４１を備えている。また、陰極線管１４は、アノード電極（図示せず。）を備えており、フライバック・トランス１３１から供給されたアノード電流を当該アノード電極にて受け付ける。
【００２４】
ビデオ回路１０は、ビデオ入力端子１０１により受け付けたビデオ信号Ｖｉｄｅｏを増幅してカソード電圧を生成し、当該カソード電圧を陰極線管１４が備えている電子銃１４２のカソード電極（図示せず。）に印加する。垂直偏向回路１１は、垂直同期信号入力端子１１１にて垂直同期信号ＶＤを受け付けて、当該垂直同期信号ＶＤに同期した垂直偏向電流を生成し、当該電流を前記垂直偏向コイルに供給する。
【００２５】
水平偏向回路１２は、水平発振回路１２２、水平ドライブ回路１２３、水平偏向出力回路１２４及び水平サイズ制御回路１２５を備えている。水平偏向回路１２は、水平同期信号入力端子１２１にて水平同期信号ＨＤを受け付けて、水平偏向電流を前記水平偏向コイルに供給する。
水平サイズ制御回路１２５は、水平サイズ制御信号入力端子１２６にて水平サイズ制御信号ＶＳを受け付けると共に、アノード電圧供給回路１３からも制御信号を受け付ける。そして、水平サイズ制御回路１２５は、これらの信号に基づいて生成した補正信号ＥＷを水平偏向出力回路１２４に入力して、水平偏向電流を補正する。水平偏向出力回路１２４が水平偏向電流を補正すると、これに応じて水平偏向磁界の強度が補正されるので、水平方向についての画像の歪みが補正される。
【００２６】
ここで、前記補正信号ＥＷは、左右ピンクション歪を補正する垂直周期のパラボラ波からなっている。また、水平発振回路１２２、水平ドライブ回路１２３、及び水平偏向出力回路１２４は、前記従来公報に開示された同名の回路に相当する回路である。水平サイズ制御回路１２５も前記従来公報に開示された同名の回路に相当する回路であるが、後述のように、アノード電圧供給回路１３との回路接続が異なっている。
【００２７】
アノード電圧供給回路１３は、フライバック・トランス１３１、ビーム電流検出回路１３２、及び交流成分抽出回路１３３を備えている。フライバック・トランス１３１は、水平偏向出力回路１２４から供給された電圧を昇圧して、陰極線管１４のアノード電極に印加する。ビーム電流検出回路１３２は、前記従来公報に係るビーム電流検出回路５３４に相当する回路であって、アノード電流を検出する。
【００２８】
交流成分抽出回路１３３は、ビーム電流検出回路１３２から電圧として検出されたアノード電流が印可されて、その交流成分、すなわち、輝度（アノード電流量）の変化に起因して発生するアノード電流の変化分を抽出する。そして、交流成分抽出回路１３３は、抽出したアノード電流の変化分を制御信号として水平サイズ制御回路１２５に向けて出力する。
【００２９】
［２］　テレビジョン受像機１の回路構成
図２は、テレビジョン受像機１について、アノード電圧供給回路１３、水平偏向出力回路１２４、及び水平サイズ制御回路１２５についての回路構成を示す回路構成図である。
図２に示すように、フライバック・トランスＴ２０は、その１次側（低電圧側）を水平偏向出力回路１２４に接続されている。また、その２次側（高電圧側）は、ダイオードＤ２０を介して、陰極線管のアノード電極に接続されている。ダイオードＤ２０は、水平偏向コイルを流れるのこぎり波電流の帰線期間に発生するフライバック・パルスを前記フライバック・トランスＴ２０で昇圧した電圧を整流するものである。
【００３０】
また、フライバック・トランスＴ２０の２次側の他方の端子は、ビーム電流検出回路１３２に接続されている。ビーム電流検出回路１３２は、抵抗素子Ｒ２４を備えており、当該抵抗素子Ｒ２４によってアノード電流を電圧として検出する。検出されたアノード電流は、交流成分抽出回路１３３を介して水平サイズ制御回路１２５に出力される。
【００３１】
交流成分抽出回路１３３は、トランジスタＴｒ２０、コンデンサＣ２０、及び４つの抵抗素子Ｒ２０、Ｒ２１、Ｒ２２、Ｒ２３を備えている。ビーム電流検出回路１３２から電圧として検出されたアノード電流は抵抗素子Ｒ２３に入力される。抵抗素子Ｒ２３は、トランジスタＴｒ２０のベース電極に接続されている。トランジスタＴｒ２０のエミッタ電極は抵抗素子Ｒ２２を介して接地されている。
【００３２】
トランジスタＴｒ２０のコレクタ電極はコンデンサＣ２０に接続されていると共に、抵抗素子Ｒ２０を介して定電圧源に接続されている。以上のように、トランジスタＴｒ２０は反転増幅回路を構成しており、ビーム電流検出回路１３２が電圧として検出したアノード電流の変化を反転して、コンデンサＣ２０に向けて出力する。
【００３３】
前記コンデンサＣ２０のもう一方の電極は、抵抗素子Ｒ２１を介して水平サイズ制御回路１２５に接続されている。コンデンサＣ２０は、トランジスタＴｒ２０によって反転された、電圧として検出されたアノード電流の交流成分、すなわち輝度（アノード電流量）の変化によりアノード電圧の変化分を抽出して、前記抵抗素子Ｒ２１を介して、水平サイズ制御回路１２５に出力する。
【００３４】
水平サイズ制御回路１２５は、演算増幅器ＯＡ２０並びに４つの抵抗素子Ｒ２５、Ｒ２６、Ｒ２７、Ｒ２８を備えている。演算増幅器ＯＡ２０の反転入力端子（−）は、抵抗素子Ｒ２７を介して接地されていると共に、抵抗素子Ｒ２８を介して演算増幅器ＯＡ２０の出力端子と接続されており、全体として非反転増幅回路を構成している。当該非反転増幅回路の出力信号は、水平偏向出力回路１２４に入力される。
【００３５】
ビーム電流検出回路１３２にて検出されたアノード電圧は抵抗素子Ｒ２５を介して演算増幅器ＯＡ２０の反転入力端子（−）に入力される。また、非反転入力端子（＋）には、抵抗素子Ｒ２６を介して水平サイズ制御信号ＶＳが入力されると共に、アノード電圧供給回路１３の出力が入力される。すなわち、水平サイズ制御信号ＶＳに、アノード電圧の変動分が重畳された信号が演算増幅器ＯＡ２０の非反転入力端子（＋）に入力され、当該信号は前記非反転増幅回路にて増幅されて水平偏向出力回路１２４に入力される。
【００３６】
以上のような構成により、交流成分抽出回路１３３にて検出されたアノード電流の交流成分、すなわち変化量が、アノード電流の増加を示すものである場合には、交流成分抽出回路１３３の出力電圧が上昇することにより、演算増幅器ＯＡ２０の非反転入力端子（＋）に印加される電圧が上昇するので、水平サイズ制御回路１２５の出力電圧が上昇する。従って、水平偏向出力回路１２４が水平偏向磁界の強度を強めるので、画素の高輝度化に伴うアノード電圧の低下による画像の歪みが抑えられる。
【００３７】
これとは逆に、アノード電流の減少が検出された場合には、交流成分抽出回路１３３の出力電圧が低下して、演算増幅器ＯＡ２０の非反転入力端子（＋）に印加される電圧が低下するので、水平サイズ制御回路１２５の出力電圧が低下する。従って、水平偏向出力回路１２４が水平偏向磁界の強度を弱めるので、画素の低輝度化に起因するアノード電圧の上昇による画像の歪みが抑えられる。従って、本実施の形態の構成によれば、画素の輝度の変化に起因する画像の歪みを防止することができる。
【００３８】
ここで、本実施の形態において採用した回路定数であって、特にアノード電圧供給回路に係る回路定数を下表に示す。
【００３９】
【表１】
2004064357.tif 000003
なお、抵抗素子Ｒ２１の抵抗値を加減することにより、水平サイズ制御回路１２５へ出力する制御信号の振幅を調整することができる。すなわち、抵抗素子Ｒ２１の抵抗値を大きくすると補正量が小さくなり、当該抵抗値を小さくすると補正量が大きくなるので、補正量に合わせて適当な抵抗値の抵抗素子を用いると好適である。
【００４０】
［３］　性能評価
本実施の形態に係るテレビジョン受像機１について次のような性能評価を実施した。図３は、性能評価を実施する際にテレビジョン受像機１に表示させた画像を模式的に示す図である。図３に示すように、テレビジョン受像機１の有効表示領域２０１にはクロスハッチ画像２０２が表示されている。また、当該クロスハッチ画像２０２のほぼ中央部には、白色で高輝度の画像２０３が表示されている。
【００４１】
矩形画像２０３が表示される領域ではアノード電流が多く流れるので、上述のようなメカニズムにより画像の歪みが発生している。この画像の歪みに伴って、本来、直線であるはずのクロスハッチ画像２０２のうち、矩形画像２０３と水平走査線を同じくする部分が歪んでいる。
本性能評価においては、この歪みの大きさを計測するために、オーバースキャンをやめて、クロスハッチ画像２０２の全体が、歪みを受けている箇所も含めて、有効表示領域内に表示されるように水平偏向量が調整されている。この水平偏向量の調整は、クロスハッチ画像２０２が画像の歪みにより走査方向に拡幅している箇所が、ちょうど有効表示領域の左右端となるようになされている。
【００４２】
このような条件の下で、クロスハッチ画像２０２の矩形画像２０３と水平走査線を同じくする箇所（最も拡幅されている箇所）と、矩形画像２０３と水平走査線を同じくしない箇所（最も拡幅されていない箇所）との間でクロスハッチ画像２０２の水平方向の大きさを比較することによって、画像の歪みを評価した。
具体的には、スクリーン画面の有効表示領域の左右端からクロスハッチ画像２０２の最も拡幅されていない箇所までの距離Ｗａ、Ｗｂを計測し、この距離の平均値（Ｗａ＋Ｗｂ）／２によって画像の歪みの程度を評価した。以下、この平均値を歪み幅という。
【００４３】
さて、従来型テレビジョン受像機と本実施の形態に係るテレビジョン受像機１とについて、それぞれ歪み幅を計測したところ下表のような結果を得た。
【００４４】
【表２】
2004064357.tif 000004
なお、当該従来型テレビジョン受像機は、本実施の形態に係るテレビジョン受像機１と同様に、対角寸法が８０ｃｍ（３４インチ）でアスペクト比が４：３の陰極線管を備えている。
【００４５】
上表のように、本実施の形態のようにすれば、輝度の変化に起因する画像の歪みを目視によっては確認できない程度にまで低減することができる。また、上記従来公報に開示されたディスプレイ装置よりも回路構成がはるかに小規模であり、かつ高価な回路素子を要しないので、安価に画像の歪みを解消することができる。
【００４６】
以上、本発明を実施の形態に基づいて説明してきたが、本発明は、上述の実施の形態に限定されないのは勿論であり、以下のような変形例を実施することができる。
（変形例）
（１）　上記の実施の形態においては、抵抗素子Ｒ２１は一定の抵抗値を有する固定抵抗器を用いているが、これに代えて、抵抗素子Ｒ２１に可変抵抗器を用いるとしても良い。輝度変化に起因して生じる画像の歪みの程度には個々のテレビジョン受像機毎にバラツキがあり、必ずしも一定ではない。これに対して、抵抗素子Ｒ２１に可変抵抗器を用いれば、テレビジョン受像機の組立て後に個別に抵抗素子Ｒ２１の抵抗値を調整することができるので、テレビジョン受像機毎のバラツキに関わらず画像の歪みを解消できる。
【００４７】
（２）　上記の実施の形態においては、トランジスタＴｒ２０を用いて、ビーム電流検出回路１３２が電圧として検出したアノード電流を反転させるとしたが、これに代えて、次のようにトランスを用いるとしても良い。
図４は、テレビジョン受像機１においてトランジスタＴｒ２０に代えてトランスを用いる場合の回路構成であって、特にビーム電流検出回路と交流成分抽出回路の回路構成について示す回路図である。図４に示すように、本変形例に係るテレビジョン受像機のビーム電流検出回路１３２´は、テレビジョン受像機１のビーム電流検出回路１３２におけるのと同様に、抵抗素子Ｒ３０にてアノード電流を検出する。ビーム電流検出回路１３２´が電圧として検出したアノード電流は、交流成分抽出回路１３３´に印加される。
【００４８】
交流成分抽出回路１３３´は、トランスＴ３０と抵抗素子Ｒ３１、Ｒ３２とを備えている。トランスＴ３０は、１次側と２次側とでコイルの巻き方が逆向きとなっており、かつ、磁心を備えている。また、抵抗素子Ｒ３１は固定抵抗器であり、トランスＴ３０の１次側に接続されている。抵抗素子Ｒ３２は可変抵抗器であって、トランスＴ３０の２次側に接続されている。以上のように、トランスＴ３０と抵抗素子Ｒ３１、Ｒ３２は全体として直列回路を構成している。
【００４９】
さて、ビーム電流検出回路１３２´から印加された電圧として検出されたアノード電流は、抵抗素子Ｒ３１を介して、トランスＴ３０の１次側に印加される。
トランスＴ３０の２次側には、１次側に印加された電圧の交流成分のみが出力され、直流成分は出力されない。また、前述のように、トランスＴ３０の１次側と２次側とはコイルの巻き方が逆向きとなっているので、トランスＴ３０の２次側には１次側に印加された電圧の交流成分を反転した電圧が出力される。
【００５０】
トランスＴ３０の２次側から出力された交流電圧は、抵抗素子Ｒ３２によって降圧され、水平サイズ制御回路に出力される。前述のように抵抗素子Ｒ３２は可変抵抗器であるので、テレビジョン受像機の組立てが完了した後、アノード電流の変動に起因する画像の歪みを最終的に調整する際に用いられる。
以上のような構成によっても、本発明の効果を得ることができる。なお、トランスとトランジスタとは、通常、外形寸法が大きく異なり、トランジスタの方がトランスよりもかなり小さいため、回路全体の小型化を希望する場合には、上記実施の形態におけるようにトランジスタを用いた回路構成とするのが好適である。
【００５１】
（３）　上記変形例（２）においては、１次側と２次側とでコイルの巻き方が逆向きになっているトランスを用いる場合について説明したが、これに代えて次のようにしても良い。
すなわち、図４におけるトランスＴ３０に代えて、１次側と２次側とでコイルの巻き方が同じ向きになっているトランスを用いるとし、また、当該トランスを図４におけるトランスＴ３０と同様に抵抗素子Ｒ３１、Ｒ３２に接続するとしても良い。図５は、本変形例に係るテレビジョン受像機の構成について、特にビーム電流検出回路、交流成分抽出回路及び水平サイズ制御回路の回路構成を示す回路図である。
【００５２】
図５に示すように、本変形例に係るテレビジョン受像機が備える交流成分抽出回路１３３´´は、ビーム電流検出回路１３２´´にて電圧として検出されたアノード電流の印加を受けて、その交流成分を抽出し、水平サイズ制御回路１２５´´に入力する。この際、トランスＴ４０は、１次側と２次側とでコイルの巻き方が同じ向きになっているので、トランスＴ４０に印加された電圧の交流成分が、反転されることなく、２次側に出力される。
【００５３】
このように出力された交流電圧は、抵抗素子Ｒ４２にて降圧された後、水平サイズ制御回路１２５´´に入力される。本変形例においては、当該出力電圧は演算増幅器ＯＡ４０の反転入力端子（―）に入力される。以上のような回路構成によっても、本発明の効果を得ることができる。
なお、本変形例に係る構成以外の構成をとる場合であっても、アノード電圧の交流成分を反転しない場合には、交流成分抽出回路の出力を水平サイズ制御回路の演算増幅器の反転入力端子（−）に入力し、アノード電圧の交流成分を反転させる場合には、交流成分抽出回路の出力を水平サイズ制御回路の演算増幅器の非反転入力端子（＋）に入力すればよい。
【００５４】
（４）　上記実施の形態においては、交流電圧抽出回路の構成として、トランジスタＴｒ２０の出力をコンデンサＣ２０に入力する場合について説明したが、これに代えて次のようにしても良い。すなわち、コンデンサにて交流成分を抽出した後、トランジスタにて反転させるとしても良く、このようにしても本発明の効果を得ることができる。なお、本変形例の構成を採用した場合、バイアス回路を追加する必要がある。このため、より低コストを目指す場合には、上記実施の形態に係る回路構成とするのが好適である。
【００５５】
（５）　上記実施の形態においては、専らテレビジョン受像機に本発明を適用する場合について説明したが、本発明はこれに限られることなく、テレビジョン受像機以外の陰極線管装置、例えば、コンピュータ用ディスプレイ装置にも適用して、その効果を得ることができる。
【００５６】
【発明の効果】
以上説明したように、本発明によれば、アノード電流の変化量を抽出して水平偏向磁界の強度を調節するので、輝度の変化に起因する画像の歪みを解消するためのコストを低減することができる。従って、解像度が高く、１画素あたりの蛍光体量が小さいためにビーム電流量を大きくしなければならないような陰極線管装置においては、画素の輝度の変化、すなわち、アノード電流の変化に起因するアノード電圧の変動幅が大きいため、画像の歪みの問題を生じやすいのであるが、本発明はそのような場合に特に有効である。
【図面の簡単な説明】
【図１】本発明の実施の形態に係るテレビジョン受像機の機能を表した機能ブロック図であって、特に、アノード電流量の制御に係る機能が示されている。
【図２】テレビジョン受像機１について、アノード電圧供給回路１３、水平偏向出力回路１２４、及び水平サイズ制御回路１２５についての回路構成例を示す回路構成図である。
【図３】性能評価を実施する際にテレビジョン受像機１に表示させた画像を模式的に示す図である。
【図４】テレビジョン受像機１においてトランジスタＴｒ２０に代えてトランスを用いる場合の回路構成であって、特にビーム電流検出回路と交流成分抽出回路について示す回路図である。
【図５】本発明の変形例（３）に係るテレビジョン受像機の構成について、特にビーム電流検出回路、交流成分抽出回路及び水平サイズ制御回路の回路構成を示す回路図である。
【図６】従来公報に開示されたディスプレイ装置の機能構成を示す機能ブロック図である。
【図７】従来公報に開示されたディスプレイ装置の回路構成であって、特に画像の歪みの補正に係る回路を示す回路図である。
【符号の説明】
１………………………………………………テレビジョン受像機
５………………………………………………ディスプレイ装置
１０、５０………………………………………ビデオ回路
１１、５１………………………………………垂直偏向回路
１２、５２………………………………………水平偏向回路
１３、５３………………………………………アノード電圧供給回路
１４、５４………………………………………陰極線管
１０１、５０１……………………………………ビデオ入力端子
１１１、５１１……………………………………垂直同期信号入力端子
１２１、５２１……………………………………水平同期信号入力端子
１２２、５２２……………………………………水平発振回路
１２３、５２３……………………………………水平ドライブ回路
１２４、５２４……………………………………水平偏向出力回路
１２５、１２５´´、５２５……………………水平サイズ制御回路
１２６、５２６……………………………………水平サイズ制御信号入力端子
１３１、５３１……………………………………フライバック・トランス
１３２、１３２´、１３２´´、５３４………ビーム電流検出回路
１３３、１３３´、１３３´´…………………交流成分抽出回路
１４１、５４１……………………………………偏向ヨーク
１４２、５４２……………………………………電子銃
５３２………………………………………………電源電圧制御回路
５３３………………………………………………時定数回路
Ｃ２０〜Ｃ２３、Ｃ５２〜Ｃ５５………………コンデンサ
Ｃ５０、Ｃ５１……………………………………電界効果コンデンサ
Ｄ２０〜Ｄ２２、Ｄ５０〜Ｄ５２………………ダイオード
Ｌ２０、Ｌ２１……………………………………コイル
ＯＡ２０、ＯＡ４０、ＯＡ５０、ＯＡ５１……演算増幅器
Ｒ２０〜Ｒ２８、Ｒ５０〜Ｒ６７等……………抵抗素子（固定型）
Ｒ３２、Ｒ４２……………………………………抵抗素子（可変型）
Ｔ２０、Ｔ３０、Ｔ４０…………………………トランス
Ｔｒ２０、Ｔｒ２１、Ｔｒ５０〜Ｔｒ５３……トランジスタ
【図１】
2004064357.tif 000005
【図２】
2004064357.tif 000006
【図３】
2004064357.tif 000007
【図４】
2004064357.tif 000008
【図５】
2004064357.tif 000009
【図６】
2004064357.tif 000010
【図７】
2004064357.tif 000011